(57)【要約】【課題】様々な年齢時の顔画像を含む複数の画像の中からであっても、所望の顔画像を正確に照合する。【解決手段】本発明の顔照合装置１は、  対象顔画像の撮影時点である対象顔画像撮影時点を取得する対象画像取得部１０１と、対象画像取得部１０１が取得した対象顔画像撮影時点と、基準画像データベース１２１に記憶された基準顔画像撮影時点とに基づいて、照合に利用する基準顔画像を選択する照合利用画像選択部１０４と、を備えている。【選択図】図１
2010218059.tif 000002
【特許請求の範囲】
【請求項１】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、各基準顔画像に対して該基準顔画像の撮影時点である基準顔画像撮影時点を記憶することが可能であり、
上記対象顔画像の撮影時点である対象顔画像撮影時点を取得する取得手段と、
上記取得手段が取得した対象顔画像撮影時点と、上記基準画像データベースに記憶された基準顔画像撮影時点とに基づいて、上記照合に利用する上記基準顔画像を選択する選択手段と、を備えていることを特徴とする顔照合装置。
【請求項２】
上記基準画像データベースには、さらに、各基準顔画像に対して該基準顔画像の撮影時点における登録者の年齢である基準時年齢を記憶することが可能であり、
上記選択手段は、さらに上記基準時年齢を用いて、上記照合に利用する上記基準顔画像を選択することを特徴とする請求項１に記載の顔照合装置。
【請求項３】
上記基準画像データベースには、さらに、各登録者の生誕時点を記憶することが可能であり、
上記選択手段は、さらに上記生誕時点を用いて、上記照合に利用する上記基準顔画像を選択することを特徴とする請求項１に記載の顔照合装置。
【請求項４】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記対象顔画像の撮影時点である対象顔画像撮影時点を取得する取得手段と、
上記取得手段が取得した対象顔画像撮影時点と、上記基準画像データベースに記憶された生誕時点および基準時年齢とに基づいて、上記照合に利用する上記基準顔画像を選択する選択手段と、を備えていることを特徴とする顔照合装置。
【請求項５】
上記基準顔画像を、上記撮影画像に含まれる対象顔画像との照合にどの程度適用できるかを示す適用度を、上記取得手段が取得した対象顔画像撮影時点と上記基準画像データベースに記憶された基準顔画像撮影時点との差に基づいて算出する適用度算出手段を備え、
上記選択手段は、上記適用度算出手段が算出した適用度が所定の閾値を超える基準顔画像を選択することを特徴とする請求項１に記載の顔照合装置。
【請求項６】
上記取得手段が取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出手段と、
上記基準顔画像を、上記撮影画像に含まれる対象顔画像との照合にどの程度適用できるかを示す適用度を、上記取得手段が取得した対象顔画像撮影時点と上記基準画像データベースに記憶された基準顔画像撮影時点との差と、上記対象時年齢算出手段が算出した対象時年齢とに基づいて算出する適用度算出手段を備え、
上記選択手段は、上記適用度算出手段が算出した適用度が所定の閾値を超える基準顔画像を選択することを特徴とする請求項２に記載の顔照合装置。
【請求項７】
上記取得手段が取得した対象顔画像撮影時点と、上記基準画像データベースに記憶された上記生誕時点とに基づいて、上記対象顔画像の撮影時点における上記登録者の年齢である対象時年齢を算出する対象時年齢算出手段と、
上記基準顔画像を、上記撮影画像に含まれる対象顔画像との照合にどの程度適用できるかを示す適用度を、上記取得手段が取得した対象顔画像撮影時点と上記基準画像データベースに記憶された基準顔画像撮影時点との差と、上記対象時年齢算出手段が算出した対象時年齢とに基づいて算出する適用度算出手段を備え、
上記選択手段は、上記適用度算出手段が算出した適用度が所定の閾値を超える基準顔画像を選択することを特徴とする請求項３に記載の顔照合装置。
【請求項８】
上記取得手段が取得した対象顔画像撮影時点と、上記基準画像データベースに記憶された生誕時点とに基づいて、上記対象顔画像の撮影時点における上記登録者の年齢である対象時年齢を算出する対象時年齢算出手段と
上記基準顔画像を、上記撮影画像に含まれる対象顔画像との照合にどの程度適用できるかを示す適用度を、上記基準画像データベースに記憶された上記基準時年齢と上記対象時年齢算出手段が算出した対象時年齢とに基づいて算出する適用度算出手段を備え、
上記選択手段は、上記適用度算出手段が算出した適用度が所定の閾値を超える基準顔画像を選択することを特徴とする請求項４に記載の顔照合装置。
【請求項９】
上記適用度は、上記対象時年齢が低くなるほど、対象顔画像撮影時点と基準顔画像撮影時点との差に対して変化率が大きいことを特徴とする請求項６または７に記載の顔照合装置。
【請求項１０】
上記選択手段が選択した基準顔画像と上記対象顔画像との照合の結果に対し、上記基準顔画像の適用度で重み付けした加重照合結果を算出する加重照合結果算出手段を備えていることを特徴とする請求項５〜９のいずれか１項に記載の顔照合装置。
【請求項１１】
上記基準画像データベースに記憶されている基準顔画像の基準時年齢から、閾値以上の適用度となる対象時年齢の範囲を算出し、算出した対象時年齢の範囲に含まれない年齢を対象時年齢とした場合に、上記閾値以上の適用度となる基準時年齢の範囲を算出し、算出した基準撮影時年齢の範囲を出力する必要年齢出力手段を備えていることを特徴とする請求項６記載の顔照合装置。
【請求項１２】
上記基準顔画像を上記撮影画像に含まれる顔画像の照合にどの程度適用できるかを示す適用度を、上記取得手段が取得した上記対象顔画像撮影時点と上記基準画像データベースに記憶された基準顔画像撮影時点との差に基づいて算出する適用度算出手段を備え、
上記選択手段は、上記適用度算出手段が算出した適用度が閾値を超える基準顔画像が存在しない場合、閾値を下回る基準顔画像を選択しており、
照合結果の正否を問い合わせる問い合わせ手段と、
上記問い合わせ手段が正しいと受け付けると、当該対象顔画像を上記基準顔画像として登録する画像登録手段とを備えていることを特徴とする請求項１〜４のいずれか１項に記載の顔照合装置。
【請求項１３】
請求項５〜９のいずれか１項に記載の顔照合装置を備えた電子機器であって、
上記対象顔画像に対し、上記適用度が閾値を超える基準顔画像が無い場合に、ユーザに対し報知を行う報知手段を備えていることを特徴とする電子機器。
【請求項１４】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、各基準顔画像に対して該基準顔画像の撮影時点である基準顔画像撮影時点を記憶することが可能であり、
上記対象顔画像の撮影時点である対象顔画像撮影時点を取得する取得ステップと、
上記取得ステップで取得した対象顔画像撮影時点と、上記基準画像データベースに記憶された基準顔画像撮影時点とに基づいて、上記照合に利用する上記基準顔画像を選択する選択ステップと、を含むことを特徴とする顔照合装置の制御方法。
【請求項１５】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記対象顔画像の撮影時点である対象顔画像撮影時点を取得する取得ステップと、
上記取得ステップで取得した対象顔画像撮影時点と、上記基準画像データベースに記憶された生誕時点および基準時年齢とに基づいて、上記照合に利用する上記基準顔画像を選択する選択ステップと、を含むことを特徴とする顔照合装置の制御方法。
【請求項１６】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、各基準顔画像に対して該基準顔画像の撮影時点である基準顔画像撮影時点を記憶することが可能であり、
上記対象顔画像の撮影時点である対象顔画像撮影時点を取得する取得ステップと、
上記取得ステップで取得した対象顔画像撮影時点と、上記基準画像データベースに記憶された基準顔画像撮影時点とに基づいて、上記照合に利用する上記基準顔画像を選択する選択ステップと、をコンピュータに実行させるための顔照合装置制御プログラム。
【請求項１７】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記対象顔画像の撮影時点である対象顔画像撮影時点を取得する取得ステップと、
上記取得ステップで取得した対象顔画像撮影時点と、上記基準画像データベースに記憶された生誕時点および基準時年齢とに基づいて、上記照合に利用する上記基準顔画像を選択する選択ステップと、をコンピュータに実行させるための顔照合装置制御プログラム。
【発明の詳細な説明】
【技術分野】
【０００１】
本発明は、対象となる顔画像と、登録者の顔画像とを照合する顔照合装置、電子機器、顔照合装置の制御方法、および顔照合装置制御プログラムに関するものである。
【背景技術】
【０００２】
近年、デジタルスチールカメラやデジタルビデオカメラ（以下、「デジタルカメラ」と総称する）の普及に伴い、該デジタルカメラで撮影した静止画や動画等のデジタルデータ（画像）が大量にメモリやハードディスク等の記憶媒体に記憶されている。そして、この記憶媒体に大量の画像が記憶されているため、記憶されている画像の中から所望の人物が写っている画像を探し出したり、写っている人物別に画像を分類したりすることが困難になりつつある。
【０００３】
そこで、多数の画像の中から所望の画像を検索、分類するために、登録されている顔画像と撮影した顔画像（生体情報）とを照合し、同一人物かどうかを判断する、いわゆる顔認証を用いることが考えられる。
【０００４】
しかしながら、顔認証は、時間が経つにつれて実際の顔は変化していく経年変化が生じるにもかかわらず、登録されている顔の画像は変化しないため、時間とともに照合の精度が低下していくという問題がある。
【０００５】
この問題に対し、特許文献１には、照合時に入力された画像と記憶されている画像とから新たに登録すべき画像を生成し、登録されている画像を新たに生成した画像に自動で更新することによって、経年変化の影響を軽減する技術が開示されている。
【０００６】
また、特許文献２には、複数の生体情報を用いて認証を行うことで、認証の制度を高める技術が開示されている。
【０００７】
また、特許文献３には、登録時点あるいは最後に照合した時点からの経過時間が長くなった、重要度の低い画像を記憶媒体から削除する技術が開示されている。
【０００８】
また、特許文献４には、顔画像が登録された時点から顔を撮影した時点までの時間に対応する特徴量を算出し、この特徴量を用いて顔認証を行うことで認証の精度を高める技術が開示されている。
【０００９】
また、特許文献５には、過去の複数の時点で撮像した生体認証データ（画像データ）を用いて認証を行うことで、現実に合った認証を行う技術が開示されている。
【００１０】
また、特許文献６には、予め定められた基準値以上の類似度を示す類似顔画像と撮像顔画像との差分に基づいて、撮像顔画像を差分圧縮して記憶する技術が開示されている。
【先行技術文献】
【特許文献】
【００１１】
【特許文献１】特開平１１−１７５７１８号公報（１９９９年７月２日公開）
【特許文献２】特開２００３−４４８５８号公報（２００３年２月１４日公開）
【特許文献３】特開２００４−５４８８８号公報（２００４年２月１９日公開）
【特許文献４】特開２００７−１０２５１７号公報（２００７年４月１９日公開）
【特許文献５】特開２００６−９２４９１号公報（２００６年４月６日公開）
【特許文献６】特開２００６−５９２００号公報（２００６年３月２日公開）
【発明の概要】
【発明が解決しようとする課題】
【００１２】
そして、上記特許文献１〜６に開示された顔認証等の技術を用いて、上述した記憶媒体に記憶されているデジタルデータ（画像）の中から所望の画像の検索・分類を行うことが考えられる。しかしながら、上記特許文献１〜６に開示された技術をそのままデジタルデータの検索、分類に用いると、下記のような問題を生じる。すなわち、記憶媒体に記憶されている画像は、同じ人物の画像であっても様々な年齢時のものが存在する。この記憶媒体に記憶されている画像に対し、上記特許文献１に開示されている認証技術を用いて、目的とする画像の検索、分類を行ったとしても、上記特許文献１に開示されている技術は、登録データを更新することで、認証対象となる人物の最新の状態に対応するものであり、同一人物の様々な年齢時の画像に対応することはできない。よって、対応できない年齢時の画像に対しては、認証の精度が低下し、目的となる画像を正確に照合し、検索、分類できるとは限らない。
【００１３】
また、特許文献２に開示された技術は、複数の生体情報を用いて認証を行うものであり、記憶媒体に記憶されている様々な年齢時の画像に対応することはできない。
【００１４】
また、特許文献３に開示された技術は、重要度の低い画像を記憶媒体から削除するものであり、画像の正確な照合、検索、分類にはつながらない。
【００１５】
また、特許文献４に開示された技術は、顔画像が登録された時点から顔を撮影した時点までの時間に対応する特徴量を算出するものであるが、この時間に対応する特徴量は、あくまでも計算上のものであり、実際の顔とは異なる。よって、必ずしも正確に認証できるとは限らず、正確に画像の照合、検索、分類をできるとは限らない。
【００１６】
また、特許文献５に開示された技術は、過去の複数の時点で撮像した生体認証データを用いて、現在の顔を認証するものであり、様々な年齢時の画像を正確に認証することはできず、正確に画像の照合、検索、分類ができるとは限らない。
【００１７】
また、特許文献６に開示された技術は、撮像顔画像を差分圧縮して記憶するものであり、画像の正確な照合、検索、分類にはつながらない。
【００１８】
本発明は、上記の問題点に鑑みてなされたものであり、その目的は、様々な年齢時の顔画像を含む複数の画像の中からであっても、所望の顔画像を正確に照合できる顔照合装置等を実現することにある。
【課題を解決するための手段】
【００１９】
上記課題を解決するために、本発明に係る顔照合装置は、撮影画像に含まれる照合対象となる対象顔画像を、基準画像データベースに登録された基準の顔画像である基準顔画像と照合する顔照合装置であって、上記基準画像データベースには、各登録者に対して複数の基準顔画像を記憶することが可能で、さらに、上記の各基準顔画像に対して該基準顔画像の撮影時点である基準顔画像撮影時点を記憶することが可能であり、上記対象顔画像の撮影時点である対象顔画像撮影時点を取得する取得手段と、上記取得手段が取得した対象顔画像撮影時点と、上記基準画像データベースに記憶された基準顔画像撮影時点とに基づいて、上記照合に利用する上記基準顔画像を選択する選択手段と、を備えていることを特徴としている。
【００２０】
また、本発明に係る顔照合装置の制御方法は、撮影画像に含まれる照合対象となる対象顔画像を、基準画像データベースに登録された基準の顔画像である基準顔画像と照合する顔照合装置の制御方法であって、上記基準画像データベースには、各登録者に対して複数の基準顔画像を記憶することが可能であり、さらに、各基準顔画像に対して該基準顔画像の撮影時点である基準顔画像撮影時点を記憶することが可能であり、上記対象顔画像の撮影時点である対象顔画像撮影時点を取得する取得ステップと、上記取得ステップで取得した対象顔画像撮影時点と、上記基準画像データベースに記憶された基準顔画像撮影時点とに基づいて、上記照合に利用する上記基準顔画像を選択する選択ステップと、を含むことを特徴としている。
【００２１】
上記の構成および方法によれば、取得された上記対象顔画像の撮影時点である対象顔画像撮影時点と、基準画像データベースに記憶された基準顔画像撮影時点とに基づいて、照合に利用する基準顔画像が選択される。
【００２２】
これにより、対象顔画像の撮影時点と基準顔画像の撮影時点とを考慮して、照合に用いる基準顔画像の選択を行うことができる。そして、対象顔画像の撮影時点に近い撮影時点に撮影された基準顔画像は、対象顔画像の撮影時点における登録者の年齢に近い年齢の登録者が撮影されているので、対象顔画像の撮影時点に近い撮影時点に撮影された基準顔画像を選択することにより、より正確な照合を行うことができる。
【００２３】
例えば、基準顔画像として、Ａ（１９８０年生まれ）とＢ（１９７０年生まれ）の２人の画像があり、Ａについて、１９８５年（Ａ１）、１９９０年（Ａ２）、１９９８年（Ａ３）に撮影された顔画像、Ｂについて、１９８８年（Ｂ１）、１９９１年（Ｂ２）、１９９９８年（Ｂ３）に撮影された顔画像がある場合を考える。仮に、対象画像にＡが映っており、撮影時点が１９９８年（Ａは１８歳）とする。そして、対象画像に対して、基準顔画像を用いて照合を行うときに、全ての基準顔画像を用いると、顔画像Ｂ１におけるＢの年齢が１８歳のため、照合を誤る可能性がある。
【００２４】
これに対し、対象画像の撮影時点に近い基準顔画像を、照合に用いる基準顔画像として選択すると、Ａ３（Ａは１８歳）とＢ３（Ｂは２８歳）とが基準顔画像として選択されるので、１８歳のＡと２８歳のＢとを同じ人物と判断する可能性は低く、正確に照合を行うことができる。
【００２５】
本発明に係る顔照合装置では、上記基準画像データベースには、さらに、上記の各基準顔画像に対して該基準顔画像の撮影時点における登録者の年齢である基準時年齢を記憶することが可能であり、上記選択手段は、さらに上記基準時年齢を用いて、上記照合に利用する上記基準顔画像を選択するものであってもよい。
【００２６】
上記の構成によれば、撮影画像の撮影時点における登録者の年齢に適した基準撮影時年齢の基準顔画像を選択することができる。
【００２７】
なお、ここで言う年齢とは、生まれてからその時までに経過した年数だけでなく月日まで含むものであってもよい。
【００２８】
また、各種時間情報は、年月日を含むことが望ましいが、時刻を含んでもよいし、年月のみを含んでもよい。
【００２９】
本発明に係る顔照合装置では、上記基準画像データベースには、さらに、上記各登録者の生誕時点を記憶することが可能であり、上記選択手段は、さらに上記生誕時点を用いて、上記照合に利用する上記基準顔画像を選択するものであってもよい。
【００３０】
上記課題を解決するために、本発明に係る顔照合装置は、撮影画像に含まれる照合対象となる対象顔画像を、基準画像データベースに登録された基準の顔画像である基準顔画像と照合する顔照合装置であって、上記基準画像データベースには、各登録者に対して複数の基準顔画像を記憶することが可能で、さらに、上記各登録者の生誕時点、および各基準顔画像の撮影時点における登録者の年齢である基準時年齢を記憶することが可能であり、上記対象顔画像の撮影時点である対象顔画像撮影時点を取得する取得手段と、上記取得手段が取得した対象顔画像撮影時点と、上記基準画像データベースに記憶された生誕時点および基準時年齢とに基づいて、上記照合に利用する上記基準顔画像を選択する選択手段と、を備えていることを特徴としている。
【００３１】
また、本発明に係る顔照合装置の制御方法は、撮影画像に含まれる照合対象となる対象顔画像を、基準画像データベースに登録された基準の顔画像である基準顔画像と照合する顔照合装置の制御方法であって、上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、上記対象顔画像の撮影時点である対象顔画像撮影時点を取得する取得ステップと、上記取得ステップで取得した対象顔画像撮影時点と、上記基準画像データベースに記憶された生誕時点および基準時年齢とに基づいて、上記照合に利用する上記基準顔画像を選択する選択ステップと、を含むことを特徴としている。
【００３２】
上記の構成および方法によれば、取得した上記対象顔画像の撮影時点である対象顔画像撮影時点と、基準画像データベースに記憶された登録者の生誕時点および基準時年齢とに基づいて、照合に利用する基準顔画像が選択される。
【００３３】
そして、登録者の生誕時点から対象顔画像の撮影時点における登録者の年齢を算出することができるので、対象顔画像の撮影時点における登録者の年齢と、基準時年齢とを用いて基準顔画像を選択することができる。
【００３４】
これにより、対象顔画像の撮影時点における対象者の年齢を考慮して、対象顔画像の撮影時点における対象者の年齢に適した基準撮影時年齢の基準顔画像を選択することができる。そして、対象顔画像の撮影時点における対象者の年齢に適した基準撮影時年齢の基準顔画像を選択することで、より正確な照合を行うことができる。
【００３５】
本発明に係る顔照合装置では、上記基準顔画像を、上記撮影画像に含まれる対象顔画像との照合にどの程度適用できるかを示す適用度を、上記取得手段が取得した対象顔画像撮影時点と上記基準画像データベースに記憶された基準顔画像撮影時点との差に基づいて算出する適用度算出手段を備え、上記選択手段は、上記適用度算出手段が算出した適用度が所定の閾値を超える基準顔画像を選択するものであることが好ましい。
【００３６】
上記の構成によれば、適用度算出手段は、取得手段が取得した対象顔画像撮影時点と基準画像データベースに記憶された基準顔画像撮影時点との差に基づいて算出する。そして、選択手段は、上記適用度算出手段が算出した適用度が閾値を超える基準顔画像を選択する。
【００３７】
そして、適用度は、対象顔画像の撮影時点である対象顔画像撮影時点から基準顔画像の撮影時点である基準顔画像撮影時点までの差に基づいて算出されるので、対象顔画像撮影時点から基準顔画像撮影時点までの期間を加味した上で、照合に利用する基準顔画像が選択されるので、より正確な照合を行うことができる。
【００３８】
本発明に係る顔照合装置では、上記取得手段が取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出手段と、上記基準顔画像を、上記撮影画像に含まれる対象顔画像との照合にどの程度適用できるかを示す適用度を、上記取得手段が取得した対象顔画像撮影時点と上記基準画像データベースに記憶された基準顔画像撮影時点との差と、上記対象時年齢算出手段が算出した対象時年齢とに基づいて算出する適用度算出手段を備え、上記選択手段は、上記適用度算出手段が算出した適用度が所定の閾値を超える基準顔画像を選択するものであってもよい。
【００３９】
上記の構成によれば、適用度を、取得手段が取得した対象顔画像撮影時点と基準顔画像撮影時点との差と、対象時年齢とに基づいて、算出する。そして、選択手段は、上記適用度算出手段が算出した適用度が閾値を超える基準顔画像を選択する。
【００４０】
そして、適用度は、対象画像の撮影時点である対象顔画像撮影時点から基準顔画像の撮影時点である基準顔画像撮影時点までの差と、対象時年齢とに基づいて算出されるので、対象時年齢と、対象顔画像撮影時点から基準顔画像撮影時点までの期間とを加味したものとなる。
【００４１】
これにより、適用度が閾値を超える基準顔画像、すなわち、対象時年齢と、対象顔画像撮影時点から基準顔画像撮影時点までの期間とを加味した上で、対象顔画像の照合に適用できる程度が閾値を超える基準顔画像のみが対象顔画像との照合に用いられ、より正確な照合を行うことができる。
【００４２】
本発明に係る顔照合装置では、上記取得手段が取得した対象顔画像撮影時点と、上記基準画像データベースに記憶された上記生誕時点とに基づいて、上記対象顔画像の撮影時点における上記登録者の年齢である対象時年齢を算出する対象時年齢算出手段と、上記基準顔画像を、上記撮影画像に含まれる対象顔画像との照合にどの程度適用できるかを示す適用度を、上記取得手段が取得した対象顔画像撮影時点と上記基準画像データベースに記憶された基準顔画像撮影時点との差と、上記対象時年齢算出手段が算出した対象時年齢とに基づいて算出する適用度算出手段を備え、上記選択手段は、上記適用度算出手段が算出した適用度が所定の閾値を超える基準顔画像を選択するものであってもよい。
【００４３】
本発明に係る顔照合装置では、上記取得手段が取得した対象顔画像撮影時点と、上記基準画像データベースに記憶された生誕時点とに基づいて、上記対象顔画像の撮影時点における上記登録者の年齢である対象時年齢を算出する対象時年齢算出手段と上記基準顔画像を、上記撮影画像に含まれる対象顔画像との照合にどの程度適用できるかを示す適用度を、上記基準画像データベースに記憶された上記基準時年齢と上記対象時年齢算出手段が算出した対象時年齢との差に基づいて算出する適用度算出手段を備え、上記選択手段は、上記適用度算出手段が算出した適用度が所定の閾値を超える基準顔画像を選択するものであってもよい。
【００４４】
本発明に係る顔照合装置では、上記適用度は、上記対象時年齢が低くなるほど、対象顔画像撮影時点と基準顔画像撮影時点との差に対して変化率が大きいことが好ましい。
【００４５】
上記の構成によれば、適用度は、対象顔画像の撮影時点における登録者の年齢である対象時年齢が低くなるほど、該対象顔画像の撮影時点である対象顔画像撮影時点から照合の基準となる基準顔画像の撮影時点である基準顔画像撮影時点までの期間に対する変化率が大きい。
【００４６】
これにより、生まれたばかりの赤ん坊から幼児になるまでのような顔の変化が大きいと考えられる期間については、適用度は対象顔画像撮影時点と基準顔画像撮影時時点との差に対して大きく変化する。一方、大人になり、経過期間に対してあまり顔の変化が無い期間については、対象顔画像撮影時点と基準顔画像撮影時点との差に対して大きく変化しない。
【００４７】
よって、経過期間に対して顔の変化（経年変化）が大きい期間は、適用度も大きく変化し、経年変化が小さい期間に対しては適用度も大きく変化しないので、より細かく基準顔画像の適用度を算出することができる。
【００４８】
したがって、より細かく適用度を算出した基準顔画像を用いて照合を行うことができ、人の顔の経年変化に対してより細かく対応した正確な照合を行うことができる。
【００４９】
本発明に係る顔照合装置では、上記選択手段が選択した基準顔画像と上記対象顔画像との照合の結果に対し、上記基準顔画像の適用度で重み付けした加重照合結果を算出する加重照合結果算出手段を備えているものであってもよい。
【００５０】
上記の構成によれば、加重照合結果算出手段は、上記選択手段が選択した基準顔画像と上記対象顔画像との照合結果に対し、上記基準顔画像の適用度で重み付けした加重照合結果を算出する。これにより、適用度の高い基準顔画像を用いた照合の結果はより重く、適用度の低い基準顔画像を用いた照合の結果はより軽く、重み付けがされた結果が算出されるので、より正確な照合の結果を出力することができる。
【００５１】
本発明に係る顔照合装置では、上記基準画像データベースに記憶されている基準顔画像の基準時年齢から、閾値以上の適用度となる対象時年齢の範囲を算出し、算出した対象時年齢の範囲に含まれない年齢を対象時年齢とした場合に、上記閾値以上の上記適用度となる基準時年齢の範囲を算出し、算出した基準時年齢の範囲を出力する必要年齢出力手段を備えているものであってもよい。
【００５２】
上記の構成によれば、必要年齢出力手段は、基準時年齢から、閾値以上の適用度となる対象時年齢の範囲を算出し、算出した対象時年齢の範囲に含まれない年齢を対象時年齢とした場合に上記閾値以上の上記適用度となる基準時年齢の範囲を算出し、算出した基準時年齢の範囲を出力する。
【００５３】
これにより、出力された先の装置で、登録者の対象時年齢が何歳であっても、閾値以上の適用度の基準顔画像が選択されるために必要な基準時年齢を認識することができる。
【００５４】
よって、例えば、出力された先の装置から、ユーザに対し、対象時年齢が何歳であっても、閾値以上の適用度の基準顔画像を上記選択手段が選択できるために必要な基準時年齢を報知すれば、ユーザは、対象時年齢が何歳であっても、閾値以上の適用度の基準顔画像を上記選択手段が選択できるために必要な基準時年齢を認識することができる。これにより、ユーザに対し、該基準時年齢の基準顔画像の登録を促すことができる。
【００５５】
そして、ユーザが、促された基準顔画像を登録すれば、選択手段は、対象顔画像の撮影時点における登録者の対象時年齢が何歳であっても閾値以上の基準顔画像を選択できるようになるので、より正確な照合を行うことができる。
【００５６】
本発明に係る顔照合装置では、上記基準顔画像を上記撮影画像に含まれる顔画像の照合にどの程度適用できるかを示す適用度を、上記取得手段が取得した上記対象顔画像撮影時点と上記基準顔画像データベースに記憶された基準顔画像撮影時点との差に基づいて算出する適用度算出手段を備え、上記選択手段は、上記適用度算出手段が算出した適用度が閾値を超える基準顔画像が存在しない場合、閾値を下回る基準顔画像を選択しており、上記照合結果の正否を問い合わせる問い合わせ手段と、上記問い合わせ手段が正しいと受け付けると、当該対象顔画像を上記基準顔画像として登録する画像登録手段とを備えているものであってもよい。
【００５７】
上記の構成によれば、上記適用度が閾値を超える基準顔画像が存在しない場合、選択手段は、上記所定の閾値を下回る基準顔画像を選択し、照合結果が正しい場合、画像登録手段は、当該対象顔画像を上記基準顔画像として登録する。
【００５８】
これにより、対象顔画像に対して、適用度が閾値を超える基準顔画像が登録されていなかった場合に、該対象顔画像を基準顔画像として登録するので、以後の照合において、該対象顔画像の撮影時点と近い撮影時点の顔画像を照合するときに、適用度が従前より高い基準顔画像を用いることができる。よって、より正確な照合を行うことができるようになる。
【００５９】
上記課題を解決するために、本発明に係る電子機器は、上記顔照合装置を備えた電子機器であって、上記対象顔画像に対し、上記適用度が閾値を超える基準顔画像が無い場合に、ユーザに対し報知を行う報知手段を備えていることを特徴としている。
【００６０】
上記の構成によれば、適用度が閾値を超える基準顔画像が無ければ、報知手段はユーザに対し報知を行う。これより、ユーザは、適用度が閾値を超える基準顔画像が無いことを認識することができる。
【００６１】
なお、上記顔照合装置は、コンピュータによって実現してもよく、この場合には、コンピュータを上記各手段として動作させることにより上記顔照合装置をコンピュータにて実現させる顔照合装置の制御プログラムも本発明の範疇に入る。
【発明の効果】
【００６２】
以上のように、本発明に係る顔照合装置は、上記基準画像データベースには、各登録者に対して複数の基準顔画像を記憶することが可能で、さらに、上記の各基準顔画像に対して該基準顔画像の撮影時点である基準顔画像撮影時点を記憶することが可能であり、対象顔画像の撮影時点である対象顔画像撮影時点を取得する取得手段と、上記取得手段が取得した対象顔画像撮影時点と、上記基準画像データベースに記憶された基準顔画像撮影時点とに基づいて、上記照合に利用する上記基準顔画像を選択する選択手段と、を備えている構成である。
【００６３】
また、本発明に係る顔照合装置の制御方法は、基準画像データベースには、各登録者に対して複数の基準顔画像を記憶することが可能であり、さらに、各基準顔画像に対して該基準顔画像の撮影時点である基準顔画像撮影時点を記憶することが可能であり、上記対象顔画像の撮影時点である対象顔画像撮影時点を取得する取得ステップと、上記取得ステップで取得した対象顔画像撮影時点と、上記基準画像データベースに記憶された基準顔画像撮影時点とに基づいて、上記照合に利用する上記基準顔画像を選択する選択ステップと、を含む方法である。
【００６４】
これにより、対象顔画像の撮影時点と基準顔画像の撮影時点とを考慮して、照合に用いる基準顔画像の選択を行うことができる。そして、対象顔画像の撮影時点に近い撮影時点に撮影された基準顔画像は、対象顔画像の撮影時点における登録者の年齢に近い年齢の登録者が撮影されているので、対象顔画像の撮影時点に近い撮影時点に撮影された基準顔画像を選択することにより、より正確な照合を行うことができるという効果を奏する。
【００６５】
また、本発明に係る顔照合装置は、上記基準画像データベースには、各登録者に対して複数の基準顔画像を記憶することが可能で、さらに、上記各登録者の生誕時点、および各基準顔画像の撮影時点における登録者の年齢である基準時年齢を記憶することが可能であり、対象顔画像の撮影時点である対象顔画像撮影時点を取得する取得手段と、上記取得手段が取得した対象顔画像撮影時点と、上記基準画像データベースに記憶された生誕時点および基準時年齢とに基づいて、上記照合に利用する上記基準顔画像を選択する選択手段と、を備えている構成である。
【００６６】
また、本発明に係る顔照合装置の制御方法は、基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、上記対象顔画像の撮影時点である対象顔画像撮影時点を取得する取得ステップと、上記取得ステップで取得した対象顔画像撮影時点と、上記基準画像データベースに記憶された生誕時点および基準時年齢とに基づいて、上記照合に利用する上記基準顔画像を選択する選択ステップと、を含む方法である。
【００６７】
これにより、対象顔画像の撮影時点における対象者の年齢を考慮して、対象顔画像の撮影時点における対象者の年齢に適した基準撮影時年齢の基準顔画像を選択することができる。そして、対象顔画像の撮影時点における対象者の年齢に適した基準撮影時年齢の基準顔画像を選択することで、より正確な照合を行うことができるという効果を奏する。
【図面の簡単な説明】
【００６８】
【図１】本発明の実施の形態を示すものであり、検索部および記憶部の要部構成を示すブロック図である。
【図２】上記実施の形態における、顔照合装置の要部構成を示すブロック図である。
【図３】上記実施の形態における、基準画像データベースに記憶されている内容を示す図である。
【図４】上記実施の形態における、適用度を求めるための係数と撮影画像の撮影時における対象者の年齢との関係をグラフで示した例を示す図である。
【図５】上記実施の形態における、ＩＤ毎の類似度と適用度の例、および照合信頼度を示す説明図である。
【図６】上記実施の形態における、登録処理部の要部構成を示すブロック図である。
【図７】上記実施の形態における、画像の照合を行うときの処理の流れを示すフローチャートである。
【図８】上記実施の形態における、基準顔画像を基準画像データベースへ登録する処理の流れを示すフローチャートである。
【発明を実施するための形態】
【００６９】
本発明の一実施の形態について図１から図８に基づいて説明すれば、以下のとおりである。図２は、本実施の形態に係る顔照合装置１のブロック図である。図２に示すように、顔照合装置（電子機器）１は、表示部（報知手段）１１、外部機器接続部１２、操作部１３、記憶部１４、および制御部１０を含む構成である。なお、以下では、顔照合装置１は、パーソナルコンピュータとして説明するがこれに限られるものではない。画像を照合する機能を備えた様々な装置、例えば、デジタルカメラ等であってもよい。
【００７０】
顔照合装置１は、外部機器接続部１２を介して接続された外部機器から取得した画像や記憶部１４に記憶されている画像等の照合対象となる画像（対象画像）に写っている人物の顔（対象顔画像）が、記憶部１４に記憶されている照合の基準となる登録者の顔画像（基準顔画像）のうち、どの顔画像と最も類似するかを判断し、その結果を表示するものである。
【００７１】
なお、以下では、基準顔画像と照合対象となる撮影画像とを照合して検索するものとして記載するが、これは、基準顔画像の特徴量を記憶し、記憶している特徴量と撮影画像の特徴量とを照合して検索する場合を含むものである。
【００７２】
そして、基準となる顔が写っている基準顔画像を以下で説明する適用度を用いて適切に選択することにより、照合対象の画像に写っている人物の顔が、どの基準顔画像と類似するかをより正確に判断することができるものである。
【００７３】
また、照合結果を表示するだけでなく、照合結果に基づいて、画像を分類することも可能である。
【００７４】
次に、顔照合装置１の各部について説明する。
【００７５】
表示部１１は、顔照合装置１での照合の結果、顔照合装置１で行った動作、顔照合装置１の状態等を表示するものである。この表示部１１は、情報を表示できるものであれば何で実現されてもよいが、例えばＬＣＤ（liquid crystal display）、有機ＥＬ（electroluminescence）ディスプレイ、プラズマディスプレイ等で実現することができる。
【００７６】
外部機器接続部１２は、外部機器と接続し、該外部機器とデータの送受信を行うものである。外部機器の例としては、例えばスキャナーやハードディスクを挙げることができる。
【００７７】
操作部１３は、顔照合装置１に対するユーザからの操作を受け付けるものである。
【００７８】
記憶部１４は、照合の基準となる基準顔画像、照合の対象となる撮影画像等の画像データや、顔照合装置１を動作させるためのプログラム等を記憶している。この記憶部１４の例としては、フラッシュメモリを挙げることができる。なお、記憶部１４の詳細については、後述する。
【００７９】
制御部１０は、顔照合装置１において、照合、検索や基準顔画像の登録を行うものである。この制御部１０の詳細については後述する。
【００８０】
次に制御部１０について説明する。制御部１０は、照合部１６、登録処理部１７、および出力処理部１８を含む構成である。
【００８１】
そして、照合部１６は、図１に示すように対象画像取得部（取得手段）１０１、適用度算出部（適用度算出手段、対象時年齢算出手段）１０２、特徴量抽出部１０３、照合利用画像選択部（選択手段）１０４、類似度算出部１０５、照合信頼度算出部（加重照合結果算出手段）１０６、照合結果決定部１０７、および結果出力部（問い合わせ手段）１０８を含む構成である。図１は、本実施の形態に係る照合部１６および記憶部１４の構成を示すブロック図である。
【００８２】
また、記憶部１４は、図１に示すように、基準画像データベース１２１、適用度係数テーブル記憶部１２２、および画像データベース１２３を含む構成である。
【００８３】
基準画像データベース１２１は、照合の基準となる基準顔画像の画像データを記憶しているデータベースである。図３は、基準画像データベース１２１に記憶されている内容を示す。図３に示すように、基準画像データベース１２１には、基準顔画像の他に、基準顔画像のＩＤ（identification）、基準顔画像を撮影した日時（撮影年月日、撮影時点、基準時点）、撮影した時の基準顔画像に写っている人物の年齢（基準時年齢）および生年月日（生誕時点）、基準顔画像の特徴量データが記憶されている。なお、ＩＤとは、例えば、その基準顔画像に写っている人物の名前等である。また、基準時年齢そのものか、或いは該基準時年齢を算出できる情報を基準時年齢の情報と呼ぶ。
【００８４】
適用度係数テーブル記憶部１２２は、基準顔画像に写っている登録者の撮影画像（対象画像）の撮影時（対象時点）における年齢（対象時年齢）と係数との関係を示すものである適用度の係数テーブルを記憶している。ここで、適用度とは、撮影画像を照合する基準顔画像がどの程度、照合に適用できるかを示すものである。本実施の形態では、“適用度＝１／（撮影画像の撮影日と基準顔画像の撮影日との差×係数）”で求めている。また、係数とは、新生児において、撮影画像と基準顔画像との撮影日の差が１日のときの値を「１」（変化なし）とし、これを上限とした上で、統計的に、撮影画像の撮影時における対象者の年齢から該撮影画像の適用度を算出するためのものである。この適用度を算出するための係数と撮影画像の撮影時における対象者の年齢との関係をグラフで示した例を図４に示す。
【００８５】
図４は、適用度を求めるための係数と対象画像の撮影時点における登録者の年齢である対象時年齢との関係である適用度の係数テーブルをグラフで示した例を示す図である。図４に示すように、係数は０歳のときに最大値「１」となり、年齢が上がっていくにつれて係数が小さくなる。そして、年齢が下がるほど、係数の変化が大きくなる。また、図４に示した例では、撮影画像の撮影年月日における登録者の年齢が２０歳のとき、係数は０.１となる。よって、例えば、撮影画像の撮影年月日における対象者の年齢が２０歳で、基準顔画像の撮影時における年齢（基準時年齢）が１８歳の場合、適用度は、適用度＝１／（３６５×２×０．１）＝０.０１４となる。
【００８６】
なお、適用度の求め方はこれに限らず、撮影画像を照合するために用いる基準顔画像がどの程度照合に適用できるかを示すことができるものであれば、どのような方法によるものであってもよい。また、上記では、係数を用いて適用度を算出したが、係数を用いずに、撮影画像の撮影日と基準顔画像の撮影日との差のみを用いて適用度を算出してもよい。
【００８７】
画像データベース１２３は、画像を記憶しているデータベースである。画像データベース１２３に記憶されている画像とは、外部機器接続部１２を介して接続された外部機器（例えば、スキャナーやデジタルカメラ）から取得した画像やインターネットと接続可能な場合にインターネットを介して取得した画像である。そして、画像データベース１２３には、画像とその画像が撮影された日時が記憶されている。
【００８８】
次に、照合部１６について説明する。図１に示すように、照合部１６は、対象画像取得部１０１、適用度算出部１０２、特徴量抽出部１０３、照合利用画像選択部１０４、類似度算出部１０５、照合信頼度算出部１０６、照合結果決定部１０７、および結果出力部１０８を含む構成である。そして、照合部１６は、照合の対象となる撮影画像と、照合の基準となる基準顔画像とを照合し、その結果を出力するものである。
【００８９】
対象画像取得部１０１は、照合の対象となる撮影画像（対象画像）を取得するものである。そして、取得した撮影画像を示す撮影画像データを適用度算出部１０２および特徴量抽出部１０３へ送信する。なお、照合の対象となる撮影画像は、画像データベース１２３から取得してもよいし、外部機器接続部１２を介して外部機器から取得してもよい。また、対象画像取得部１０１は、撮影画像と共に、対象時年齢の情報として、該撮影画像の撮影時点である対象時点を示す情報を取得し、適用度算出部１０２へ送信する。ここで、対象時年齢の情報とは、対象時年齢そのものか、或いは該対象時年齢を算出できる情報である。
【００９０】
適用度算出部１０２は、適用度係数テーブル記憶部１２２に記憶されている係数テーブルを用いて、対象画像取得部１０１から取得した撮影画像と基準画像データベース１２１に記憶されている基準顔画像との適用度を上述した方法で算出する。また、基準画像データベース１２１に複数の基準顔画像が記憶されていれば、複数の基準顔画像それぞれと撮影画像との適用度を算出する。そして、基準顔画像と算出した該基準顔画像の適用度とを示す適用度データを照合利用画像選択部１０４へ送信する。
【００９１】
なお、対象画像の撮影時点における、登録者の年齢は、基準画像データベース１２１に登録者の生年月日が記憶されていれば、該生年月日と対象画像の撮影時点から算出することができる。また、生年月日が記憶されていなくても、撮影日時とその時点における登録者の年齢が記憶されていれば、当該情報と対象画像の撮影時点から算出することができる。
【００９２】
また、対象画像と基準顔画像との撮影日時の差は、両者の撮影日時から算出することができる。なお、基準顔画像の撮影日時が記憶されていない場合であっても、基準顔画像の撮影時点における登録者の年齢と生年月日とが記憶されていれば、当該情報からおおよその撮影日時が算出できるので、これを用いて対象画像と基準顔画像との撮影日時の差を算出することができる。
【００９３】
照合利用画像選択部１０４は、適用度算出部１０２から取得した適用度データから、適用度が閾値を超える基準顔画像を照合に利用する基準顔画像として選択する。そして、選択した基準顔画像および適用度を類似度算出部１０５へ送信する。なお、照合利用画像選択部１０４は、照合に利用する基準顔画像の選択を、ＩＤ毎の枚数で選択するものであってもよいし、ＩＤ毎の枚数と閾値とを加味して選択するものであってもよい。
【００９４】
すなわち、ＩＤ毎に照合に必要な枚数を予め決めておき、適用度の高い基準顔画像から必要な枚数分の基準顔画像を照合に利用する基準顔画像として選択してもよいし、閾値を超える基準顔画像から必要な枚数分の基準顔画像を照合に利用する基準顔画像として選択するものであってもよい。
【００９５】
これにより、あるＩＤの基準顔画像には適用度の高いものが多数存在し、他のＩＤの基準顔画像には適用度の高いものがあまりないといった場合に、照合に利用する基準顔画像として、適用度の高いＩＤの基準顔画像が多数選択され、適用度の高いものがあまりなかったＩＤの基準顔画像が選択されないといった、ＩＤ毎の選択のアンバランスを防止することができる。よって、特定のＩＤの基準顔画像ばかりが選択されることにより、正確に照合ができなくなるという弊害を防止することができる。
【００９６】
特徴量抽出部１０３は、対象画像取得部１０１から取得した撮影画像の特徴量を抽出するものである。そして、抽出した特徴量を示す特徴量データを類似度算出部１０５へ送信する。なお、特徴量とは、撮影画像に写っている顔の輪郭、目の色、目の形、鼻の形、唇の形等の顔の特徴を示すものである。
【００９７】
類似度算出部１０５は、特徴量抽出部１０３から取得した撮影画像の特徴量データと、照合利用画像選択部１０４から取得した基準顔画像の特徴量データとから、撮影画像に写っている人物の顔と基準顔画像に写っている人物の顔との類似度を算出する。そして、算出した類似度を示す類似度データ、類似度の算出の基となった基準顔画像データに含まれているＩＤ、および適用度を照合信頼度算出部１０６へ送信する。なお、照合利用画像選択部１０４で、照合に利用する基準顔画像が複数選択された場合は、それぞれの基準顔画像の特徴量データと、特徴量抽出部１０３から取得した特徴量データとから類似度を算出し、結果を照合信頼度算出部１０６へ送信する。
【００９８】
なお、類似度の算出は公知の技術を用いることで可能であるので、ここではその説明を省略する。
【００９９】
照合信頼度算出部１０６は、類似度算出部１０５から取得した類似度、適用度、およびＩＤから、該ＩＤの照合信頼度を算出する。そして、算出した照合信頼度をそのＩＤとともに照合結果決定部１０７へ送信する。この照合信頼度は、ＩＤ毎に、類似度の加重平均を適用度の重み付けによってとることにより算出する。図５を用いて説明する。図５は、ＩＤ毎の類似度と適用度の例、および照合信頼度を示す説明図である。図５では、ＩＤが「Ａ」の基準顔画像がＡ１、Ａ２、Ａ３の３つあり、それぞれの類似度が０.８、０．６、０．９、適用度が０．８、０．７、０．５であることを示している。また、ＩＤが「Ｂ」の基準顔画像がＢ１、Ｂ２、Ｂ３の３つあり、それぞれの類似度が０．６、０．２、０．１、適用度が０．６、０．５、０．５であることを示している。
【０１００】
この場合にＩＤ「Ａ」の照合信頼度は、類似度を適用度で重み付けした加重平均をとるので、“照合信頼度＝０．８×８／２０＋０．６×７／２０＋０．９×５／２０＝０．７６”となる。また、ＩＤ「Ｂ」の照合信頼度は、“照合信頼度＝０．６×６／１６＋０．２×５／１６＋０．１×５／１６＝０．３２”となる。
【０１０１】
照合結果決定部１０７は、照合信頼度算出部１０６から取得した照合信頼度およびＩＤから、照合信頼度が最も高いＩＤを決定し、該ＩＤと照合信頼度とを結果出力部１０８へ送信する。
【０１０２】
結果出力部１０８は、照合結果決定部１０７から取得したＩＤを照合結果として、照合信頼度とともに出力処理部１８へ送信する。
【０１０３】
次に、登録処理部１７について図６を用いて説明する。図６は、本実施の形態に係る登録処理部１７の構成を示すブロック図である。図６に示すように、登録処理部１７は、基準顔画像取得部１１０、年齢・生年算出部１１１、特徴量抽出部１１２、類似度算出部１１３、登録部（画像登録手段）１１４、および追加画像推奨部（必要年齢出力手段）１１５を含む構成である。そして、登録処理部１７は、画像を照合するときに利用する基準となる画像を基準画像データベース１２１に登録するものである。
【０１０４】
基準顔画像取得部１１０は、基準顔画像となる画像データ、および該画像データに写っている人物を示すＩＤを取得し、年齢・生年算出部１１１と特徴量抽出部１１２へ送信するものである。なお、画像データには、画像を示すデータおよび該画像の撮影日時を示すデータが含まれている。この画像データは、画像データベース１２３から取得してもよいし、外部機器接続部１２を介して接続されている外部機器から取得してもよい。また、ＩＤは、ユーザが操作部１３を用いて入力することによって、基準顔画像取得部１１０は取得することができる。
【０１０５】
年齢・生年算出部１１１は、基準顔画像取得部１１０から取得した画像データ（基準顔画像）から画像に写っている人物（対象者）の撮影時の年齢および生年を算出するものである。そして算出した年齢および生年を登録部１１４へ送信する。年齢および生年の算出は、撮影日時および生年月日から撮影時の年齢を算出し、撮影日時および撮影時の年齢から生年を算出する。対象者の生年月日は、同じＩＤの基準顔画像が基準画像データベース１２１に記憶されていれば、その画像データから取得してもよいし、新規の登録であればユーザの入力により取得してもよい。
【０１０６】
特徴量抽出部１１２は、基準顔画像取得部１１０から取得した画像データの特徴量を抽出し、特徴量を示す特徴量データをＩＤとともに類似度算出部１１３へ送信する。
【０１０７】
類似度算出部１１３は、特徴量抽出部１１２から取得した特徴量データと、取得したＩＤと同じＩＤの基準画像データベース１２１に記憶されているの基準顔画像の特徴量データとから類似度を算出する。そして、算出した類似度を示す類似度データをＩＤとともに登録部１１４へ送信する。
【０１０８】
登録部１１４は、類似度算出部１１３から取得した類似度が年齢差に対して大きすぎ、または小さすぎないかを判断する。そして、所定の範囲内に類似度があれば、取得した画像データを特徴量、ＩＤ、撮影日時、年齢・生年算出部１１１から取得した年齢、生年とともに、基準顔画像として基準画像データベース１２１へ登録する。そして、ＩＤとともに、登録が完了した旨を示すデータを追加画像推奨部１１５へ送信する。
【０１０９】
追加画像推奨部１１５は、登録部１１４からＩＤおよび登録が完了した旨を示すデータを取得すると、基準画像データベース１２１に記憶されている該ＩＤの基準顔画像が、どのような年齢の該ＩＤの人物が写った画像が撮影画像として照合の対象となったとしても、所定の値を超える適用度の基準顔画像が選択できるかどうかを判断する。そして、選択できないと判断した場合、どのような年齢の該ＩＤの人物が写った画像が撮影画像として照合の対象となったとしても、所定の値を超える適用度の基準顔画像が選択できるために必要な年齢を示す情報を出力処理部１８へ送信する。
【０１１０】
例えば、ＩＤ「Ａ」の基準顔画像として、０、３、１２歳のときの画像が基準画像データベース１２１に登録されている状態を考える。このときに、９歳のときの画像が新たに登録された場合に、どのような年齢の「Ａ」の画像が撮影画像として照合の対象となったとしても、所定の値を超える適用度の基準顔画像を選択することができるためには、６歳のときの「Ａ」の画像が必要だったとき、追加画像推奨部１１５は、「Ａ」の画像のうち、６歳のものが必要であるという情報を出力処理部１８へ送信する。
【０１１１】
出力処理部１８は、結果出力部１０８または追加画像推奨部１１５から取得した情報に基づいて表示部１１に結果を表示させる。すなわち、結果出力部１０８から閾値以上の照合信頼度のＩＤを取得した場合は、該ＩＤを照合の結果として表示部１１に表示させる。また、閾値未満の照合信頼度のＩＤを取得した場合は、信頼の程度が低い旨を示す表示とともに該ＩＤを照合の結果として表示部１１に表示させる。
【０１１２】
なお、信頼の程度が低い場合に、ユーザに対し照合の結果が正しいか否かを確認し、ユーザから正しいとの操作を受け付けると、このときの撮影画像を該ＩＤの基準顔画像として基準画像データベース１２１に登録を促すものであってもよい。
【０１１３】
また、追加画像推奨部１１５から必要な基準時年齢を示す情報を取得すると、該年齢の画像の登録を促す表示を表示部１１で行わせる。
【０１１４】
次に、画像の照合を行う処理の流れについて図７を用いて説明する。図７は、顔照合装置１で画像の照合を行うときの処理の流れを示すフローチャートである。まず、対象画像取得部１０１は照合の対象となる対象者の画像（撮影画像）の画像データ（撮影画像データ）を取得すると、基準画像データベース１２１に基準顔画像が登録されているか否かを判断する（Ｓ７０１）。
【０１１５】
そして、基準画像データベース１２１に基準顔画像が登録されていなければ（Ｓ７０１でＮＯ）、照合処理を終了する。一方、基準画像データベース１２１に基準顔画像が登録されていれば（Ｓ７０１でＹＥＳ）、特徴量抽出部１０３は、対象画像取得部１０１から取得した撮影画像の特徴量の抽出を試みる（Ｓ７０２）。
【０１１６】
そして、特徴量を抽出できなければ（Ｓ７０２でＮＯ）、照合処理を終了する。一方、特徴量を抽出することができれば（Ｓ７０２でＹＥＳ）、適用度算出部１０２は、基準画像データベース１２１に記憶されている基準顔画像の適用度を、適用度係数テーブル記憶部１２２に記憶されている適用度の係数テーブルを用いて算出する（Ｓ７０３）。
【０１１７】
次に、照合利用画像選択部１０４は、適用度算出部１０２が算出した適用度が所定の値を超える基準顔画像を、照合に利用する基準顔画像として選択する（Ｓ７０４）。次に、類似度算出部１０５は、照合利用画像選択部１０４が選択した基準顔画像と撮影画像との類似度を算出する（Ｓ７０５）。
【０１１８】
そして、Ｓ７０３からＳ７０５までを、同一ＩＤの各基準顔画像に対して行う。
【０１１９】
次に、照合信頼度算出部１０６は、適用度と類似度を用いて照合信頼度を算出する（Ｓ７０６）。
【０１２０】
そして、Ｓ７０３からＳ７０６までの処理を基準画像データベース１２１に記憶されている基準顔画像の全てのＩＤについて行う（Ｓ７０７）。そして、全てのＩＤについて、Ｓ７０３からＳ７０６までの処理が終了すると（Ｓ７０７でＹＥＳ）、照合結果決定部１０７は、照合信頼度が最も高い基準顔画像のＩＤを照合結果として決定する（Ｓ７０８）。そして、結果出力部１０８は、決定した照合結果を照合結果として出力する（Ｓ７０９）。以上で、照合処理の流れは終了する。
【０１２１】
なお、Ｓ７０４で、照合利用画像選択部１０４が、照合に利用する基準顔画像を選択するときに、適用度が所定の値を超える基準顔画像が存在しない場合、適用度が所定の値を超える基準顔画像が存在しない旨を示す警告を報知するものであってもよい。
【０１２２】
また、Ｓ７０９で決定したＩＤの基準顔画像の照合信頼度が所定の値を超えない場合、かつ、基準画像データベース１２１に、撮影画像に写っている人物（対象人物）の年齢と同程度の年齢の人物（基準人物）が写っている基準顔画像が存在しない場合、該撮影画像を基準顔画像として登録するようにユーザに対し報知し、ユーザの操作により該撮影画像を基準顔画像として登録するものであってもよい。
【０１２３】
また、上記Ｓ７０４で、適用度が所定の値を超える基準顔画像が存在しなかった場合に、適用度が所定の値以下の基準顔画像を用いて照合を行い、その結果の正否をユーザに問い合わせ、ユーザから正しいと指示を受け付けると、撮影画像を対象者の基準顔画像として登録するものであってもよい。
【０１２４】
より具体的には、上記Ｓ７０４で、適用度が所定の値を超える基準顔画像が存在しなかった場合、照合利用画像選択部１０４は、適用度が所定の値以下の基準顔画像を照合に利用する基準顔画像として選択する。そして、選択された基準顔画像を用いて上記Ｓ７０５
〜Ｓ７０８の処理を行い、Ｓ７０９で結果を出力するときに、結果出力部１０８は、照合結果が正しいか否かを問い合わせる出力を行う。そして、結果出力部１０８が、照合結果は正しいとの入力を受け付けると、登録部１１４は、対象者の画像（撮影画像）を該対象者の基準顔画像として、基準画像データベース１２１へ登録する。
【０１２５】
次に、基準顔画像を登録する処理の流れについて図８を用いて説明する。図８は、基準顔画像を基準画像データベース１２１へ登録する処理の流れを示すフローチャートである。
【０１２６】
まず、基準顔画像取得部１１０が基準顔画像を取得すると、特徴量抽出部１１２は、基準顔画像取得部１１０が取得した基準顔画像の特徴量を抽出を試みる（Ｓ８０１）。そして、特徴量が抽出できなければ（Ｓ８０１でＮＯ）、基準顔画像の登録処理を終了する。一方、特徴量の抽出ができれば（Ｓ８０１でＹＥＳ）、登録処理部１７は、基準顔画像のＩＤが既に、基準画像データベース１２１に登録されているものか否かを判断する（Ｓ８０２）。そして、基準画像データベース１２１に登録されていないＩＤであれば（Ｓ８０２でＹＥＳ）、登録処理部１７は、生年月日入力画面を表示させ（Ｓ８０３）、ユーザから、該ＩＤが示す人物の生年月日の入力を受け付ける（Ｓ８０４）。
【０１２７】
そして、生年月日の入力が終了すると、新たな基準顔画像を登録する（Ｓ８１０）。
【０１２８】
一方、基準顔画像のＩＤが、既に基準画像データベース１２１に登録されているものであれば（Ｓ８０２でＮＯ）、年齢・生年算出部１１１は、登録済みの生年月日と取得した顔画像データに含まれる撮影日時とに基づいて、基準顔画像に写っている人物（対象者）の年齢を算出する（Ｓ８０５）。なお、撮影画像が、リアルタイムで今、撮影したものであれば、装置の管理する現在時刻データから撮影日時を判断してもよい。そして、類似度算出部１１３は、新たに登録しようとしている基準顔画像と、基準画像データベース１２１に既に登録されている同じＩＤの基準顔画像との類似度を算出する（Ｓ８０６）。そして、登録部１１４は、類似度算出部１１３が算出した類似度と、類似度を算出した画像に写っているときの年齢差とから類似度が不正か否かを判断する（Ｓ８０７）。
【０１２９】
ここで、類似度が不正か否かというのは、年齢差と類似度との関係から判断する。すなわち、年齢差が大きい場合に、類似度が小さいということは考えられることなので、類似度は不正ではないと考えられる。一方、年齢差が小さいにもかかわらず、類似度が小さいということは、通常考えられず、類似度は不正となる。また、年齢差が小さく、かつ類似度が所定の値よりも大きい場合も類似度は不正と判断する。なぜなら、近い年齢のよく似た画像を複数登録することよる利点は少ないと考えられるからである。
【０１３０】
そして、登録部１１４が、類似度が不正の画像であると判断すると（Ｓ８０７でＹＥＳ）、登録部１１４は、既存の基準顔画像を保持するか、新たな基準顔画像を登録するかの判断を求める（Ｓ８０８）。そして、既存の基準顔画像を保持するのであれば（Ｓ８０８でＹＥＳ）、登録処理を終了する。一方、既存の基準顔画像を保持しないのであれば（Ｓ８０８でＮＯ）、登録処理部１７は、基準画像データベース１２１に登録されている基準顔画像を削除する（Ｓ８０９）。そして、新たな基準顔画像を登録する（Ｓ８１０）。
【０１３１】
また、類似度が不正でなければ（Ｓ８０７でＮＯ）、新たな基準顔画像を登録する（Ｓ８１０）。
【０１３２】
新たな基準顔画像の登録が終了すると、追加画像推奨部１１５は、基準画像データベース１２１に登録されている、新たに登録した基準顔画像のＩＤと同じＩＤの基準顔画像が、どのような年齢の撮影画像に対しても閾値を超える適用度の基準顔画像として選択できるものか否かを判断する。そして、どのような年齢の撮影画像に対しても閾値を超える適用度の基準顔画像として選択できるためには、さらに別の年齢の該ＩＤの人物が写った基準顔画像が必要と判断した場合には、必要な年齢の該ＩＤの人物が写った基準顔画像を登録するように、ユーザに対し報知する（Ｓ８１１）。
【０１３３】
以上で、基準顔画像を登録する処理の流れが終了する。
【０１３４】
なお、上述した実施の形態では、適用度が閾値を超える基準顔画像を照合に利用する基準顔画像として選択したが、適用度を閾値とせずに全ての基準顔画像を照合に利用する基準顔画像として選択する構成であってもよい。
【０１３５】
そして、照合信頼度が、閾値より低い場合は、信頼度が低い旨をユーザに報知する構成であってもよい。また、照合信頼度が、閾値よりも低いにもかかわらず出力した結果が正しいものであるとユーザが判断した場合、この照合に用いた撮影画像を基準顔画像とした新たに登録するものであってもよい。
【０１３６】
なお、本発明は以下の構成であってもよい。すなわち、対象となる顔画像である対象顔画像を、登録者の基準の顔画像である基準顔画像と照合し、照合結果を出力する顔照合装置であって、上記対象顔画像の撮影時点である対象時点における上記登録者の年齢である対象時年齢および該対象時年齢を算出可能な情報の何れかである対象時年齢関連情報と、複数の上記基準顔画像それぞれに関して、撮影時点である基準時点における上記登録者の年齢である基準時年齢および該基準時年齢を算出可能な情報の何れかである基準時年齢関連情報との和集合を取得する取得手段と、該取得手段が取得した和集合からの上記対象時年齢関連情報および上記基準時年齢関連情報を用いて、上記照合に利用する上記基準顔画像を選択する選択手段を備えていることを特徴とする顔照合装置。
【０１３７】
複数の上記基準顔画像の基準時点と、上記登録者の生誕時点とを記憶している記憶部を備えており、上記対象時年齢関連情報は、上記対象時点と、上記登録者の生誕時点とを含むものであり、上記基準時年齢関連情報は、上記基準顔画像の基準時点と、上記登録者の生誕時点とを含む顔照合装置。
【０１３８】
複数の上記基準顔画像の基準時年齢と上記登録者の生誕時点とを記憶している記憶部を備えており、上記対象時年齢関連情報は、上記対象時点と、上記登録者の生誕時点とを含むものであり、上記基準時年齢関連情報は、上記基準顔画像の基準時年齢である顔照合装置。
【０１３９】
複数の上記基準顔画像の基準時点および基準時年齢を記憶している記憶部を備えており、上記対象時年齢関連情報は、上記対象時点と、上記基準顔画像の基準時点および基準時年齢とを含むものであり、上記基準時年齢関連情報は、上記基準顔画像の基準時年齢である顔照合装置。
【０１４０】
また、上述したように、本発明に係る顔照合装置では、基準顔画像の撮影時点と登録者の生誕時点とから該登録者の基準顔画像における年齢である基準時年齢を算出し、算出した基準時年齢を上記記憶部に記憶させる年齢・生年算出部１１１を備えている。
【０１４１】
上記の構成によれば、年齢・生年算出部１１１が、基準顔画像の撮影年月日と登録者の生年月日とから登録者の基準時年齢を算出し、記憶部に記憶させる。これにより、ユーザが手動で基準時年齢を入力するという作業を省略することができる。
【０１４２】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４３】
最後に、顔照合装置１の各ブロック、特に制御部１０の照合部１６、登録処理部１７、出力処理部１８、照合部１６の対象画像取得部１０１、適用度算出部１０２、特徴量抽出部１０３、照合利用画像選択部１０４、類似度算出部１０５、照合信頼度算出部１０６、照合結果決定部１０７、結果出力部１０８、登録処理部１７の基準顔画像取得部１１０、年齢・生年算出部１１１、特徴量抽出部１１２、類似度算出部１１３、登録部１１４、および追加画像推奨部１１５は、ハードウェアロジックによって構成してもよいし、次のようにＣＰＵ（central processing unit）を用いてソフトウェアによって実現してもよい。
【０１４４】
すなわち、顔照合装置１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである顔照合装置１の制御プログラムのプログラムコード（実行形式プログラム、中間コードプログラム、ソースプログラム）をコンピュータで読み取り可能に記録した記録媒体を、上記顔照合装置１に供給し、そのコンピュータ（またはＣＰＵやＭＰＵ（microprocessor unit））が記録媒体に記録されているプログラムコードを読み出し実行することによっても、達成可能である。
【０１４５】
上記記録媒体としては、例えば、磁気テープやカセットテープ等のテープ系、フロッピー（登録商標）ディスク／ハードディスク等の磁気ディスクやＣＤ−ＲＯＭ（compact disc read-only memory）／ＭＯ（magneto-optical）／ＭＤ（Mini Disc）／ＤＶＤ（digital versatile disk）／ＣＤ−Ｒ（CD Recordable）等の光ディスクを含むディスク系、ＩＣカード（メモリカードを含む）／光カード等のカード系、あるいはマスクＲＯＭ／ＥＰＲＯＭ（erasable programmable read-only memory）／ＥＥＰＲＯＭ（electrically erasable and programmable read-only memory）／フラッシュＲＯＭ等の半導体メモリ系などを用いることができる。
【０１４６】
また、顔照合装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ（local area network）、ＩＳＤＮ（integrated services digital network）、ＶＡＮ（value-added network）、ＣＡＴＶ（community antenna television）通信網、仮想専用網（virtual private network）、電話回線網、移動体通信網、衛星通信網等が利用可能である。また、通信ネットワークを構成する伝送媒体としては、特に限定されず、例えば、ＩＥＥＥ（institute of electrical and electronic engineers）１３９４、ＵＳＢ、電力線搬送、ケーブルＴＶ回線、電話線、ＡＤＳＬ（asynchronous digital subscriber loop）回線等の有線でも、ＩｒＤＡ（infrared data association）やリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４７】
様々な年齢のときの顔画像であっても、それぞれの年齢に近い顔画像を用いて、正確に照合して人物を判断することができるので、様々な年齢の人物が写った多数の顔画像から特定の人物が写った顔画像を分類、照合する装置に好適である。
【符号の説明】
【０１４８】
１    顔照合装置（電子機器）
１０    制御部
１１    表示部（報知手段）
１２    外部機器接続部
１３    操作部
１４    記憶部
１６    検索部
１７    登録処理部
１８    出力処理部
１０１    対象画像取得部（取得手段）
１０２    適用度算出部（適用度算出手段、対象時年齢算出手段）
１０３    特徴量抽出部
１０４    照合利用画像選択部（選択手段）
１０５    類似度算出部
１０６    照合信頼度算出部（加重照合結果算出手段）
１０７    照合結果決定部
１０８    結果出力部（問い合わせ手段）
１１０    基準顔画像取得部
１１１    年齢・生年算出部
１１２    特徴量抽出部
１１３    類似度算出部
１１４    登録部（画像登録手段）
１１５    追加画像推奨部（必要年齢出力手段）
１２１    基準画像データベース
１２２    適用度係数テーブル記憶部
１２３    画像データベース
【図１】
2010218059.tif 000003
【図２】
2010218059.tif 000004
【図３】
2010218059.tif 000005
【図４】
2010218059.tif 000006
【図５】
2010218059.tif 000007
【図６】
2010218059.tif 000008
【図７】
2010218059.tif 000009
【図８】
2010218059.tif 000010
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、上記の各基準顔画像に対して該基準顔画像の撮影時点である基準顔画像撮影時点と、該撮影時点における登録者の年齢である基準時年齢とを記憶することが可能であり、
上記対象顔画像の撮影時点である対象顔画像撮影時点を取得する取得手段と、
上記取得手段が取得した対象顔画像撮影時点と、上記基準画像データベースに記憶された基準顔画像撮影時点とに基づいて、上記照合に利用する上記基準顔画像を選択する選択手段と、
上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部と、
上記取得手段が取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出手段と、
上記基準顔画像を上記撮影画像に含まれる対象顔画像との照合にどの程度適用できるかを示す適用度を、上記取得手段が取得した対象顔画像撮影時点と上記基準画像データベースに記憶された基準顔画像撮影時点との差に、上記対象時年齢算出手段が算出した対象時年齢に対応する上記係数記憶部に記憶された係数を乗じて、算出する適用度算出手段と、を備え、
上記選択手段は、上記適用度算出手段が算出した適用度が所定の閾値を超える基準顔画像を選択することを特徴とする顔照合装置。
【請求項２】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、上記の各基準顔画像に対して該基準顔画像の撮影時点である基準顔画像撮影時点と、各登録者の生誕時点とを記憶することが可能であり、
上記対象顔画像の撮影時点である対象顔画像撮影時点を取得する取得手段と、
上記取得手段が取得した対象顔画像撮影時点と、上記基準画像データベースに記憶された基準顔画像撮影時点とに基づいて、上記照合に利用する上記基準顔画像を選択する選択手段と、
上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部と、
上記取得手段が取得した対象顔画像撮影時点と、上記基準画像データベースに記憶された生誕時点とに基づいて、上記対象顔画像の撮影時点における上記登録者の年齢である対象時年齢を算出する対象時年齢算出手段と、
上記基準顔画像を上記撮影画像に含まれる対象顔画像との照合にどの程度適用できるかを示す適用度を、上記取得手段が取得した対象顔画像撮影時点と上記基準画像データベースに記憶された基準顔画像撮影時点との差に、上記対象時年齢算出手段が算出した対象時年齢に対応する上記係数記憶部に記憶された係数を乗じて、算出する適用度算出手段と、を備え、
上記選択手段は、上記適用度算出手段が算出した適用度が所定の閾値を超える基準顔画像を選択することを特徴とする顔照合装置。
【請求項３】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記対象顔画像の撮影時点である対象顔画像撮影時点を取得する取得手段と、
上記取得手段が取得した対象顔画像撮影時点と、上記基準画像データベースに記憶された生誕時点および基準時年齢とに基づいて、上記照合に利用する上記基準顔画像を選択する選択手段と、
上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部と、
上記取得手段が取得した対象顔画像撮影時点と、上記基準画像データベースに記憶された生誕時点とに基づいて、上記対象顔画像の撮影時点における上記登録者の年齢である対象時年齢を算出する対象時年齢算出手段と、
上記基準顔画像を上記撮影画像に含まれる対象顔画像との照合にどの程度適用できるかを示す適用度を、上記対象時年齢算出手段が算出した対象時年齢と上記基準画像データベースに記憶された基準時年齢との差に、上記対象時年齢算出手段が算出した対象時年齢に対応する上記係数記憶部に記憶された係数を乗じて、算出する適用度算出手段と、を備え、
上記選択手段は、上記適用度算出手段が算出した適用度が所定の閾値を超える基準顔画像を選択することを特徴とする顔照合装置。
【請求項４】
上記選択手段が選択した基準顔画像と上記対象顔画像との照合の結果である類似度に対し、上記基準顔画像の適用度で重み付けした加重照合結果を算出する加重照合結果算出手段を備えていることを特徴とする請求項１〜３のいずれか１項に記載の顔照合装置。
【請求項５】
上記基準画像データベースに記憶されている基準顔画像の基準時年齢から、閾値以上の適用度となる対象時年齢の範囲を算出し、算出した対象時年齢の範囲に含まれない年齢を対象時年齢とした場合に、上記閾値以上の適用度となる基準時年齢の範囲を算出し、算出した基準撮影時年齢の範囲を出力する必要年齢出力手段を備えていることを特徴とする請求項１に記載の顔照合装置。
【請求項６】
上記選択手段は、上記適用度算出手段が算出した適用度が閾値を超える基準顔画像が存在しない場合、閾値を下回る基準顔画像を選択しており、
照合結果の正否を問い合わせる問い合わせ手段と、
上記問い合わせ手段が正しいと受け付けると、当該対象顔画像を上記基準顔画像として登録する画像登録手段とを備えていることを特徴とする請求項１〜５のいずれか１項に記載の顔照合装置。
【請求項７】
請求項１〜６のいずれか１項に記載の顔照合装置を備えた電子機器であって、
上記対象顔画像に対し、上記適用度が閾値を超える基準顔画像が無い場合に、ユーザに対し報知を行う報知手段を備えていることを特徴とする電子機器。
【請求項８】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、上記の各基準顔画像に対して該基準顔画像の撮影時点である基準顔画像撮影時点と、該撮影時点における登録者の年齢である基準時年齢とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じて、算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、を含むことを特徴とする顔照合装置の制御方法。
【請求項９】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、上記の各基準顔画像に対して該基準顔画像の撮影時点である基準顔画像撮影時点と、各登録者の生誕時点とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じて、算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、を含むことを特徴とする顔照合装置の制御方法。
【請求項１０】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記対象時年齢算出ステップで算出した対象時年齢と上記基準画像データベースに記憶された基準時年齢との差に、上記対象時年齢算出ステップで算出した対象時年齢に対応する上記係数記憶部に記憶された係数を乗じて、算出する適用度算出ステップと、
上記取得ステップで取得した対象顔画像撮影時点と、上記基準画像データベースに記憶された生誕時点および基準時年齢とに基づいて、上記照合に利用する上記基準顔画像を選択するものであって、上記適用度算出ステップで算出した適用度が所定の閾値を超える基準顔画像を選択する選択ステップと、を含むことを特徴とする顔照合装置の制御方法。
【請求項１１】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、上記の各基準顔画像に対して該基準顔画像の撮影時点である基準顔画像撮影時点と、該撮影時点における登録者の年齢である基準時年齢とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じて、算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、をコンピュータに実行させるための顔照合装置制御プログラム。
【請求項１２】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、上記の各基準顔画像に対して該基準顔画像の撮影時点である基準顔画像撮影時点と、各登録者の生誕時点とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じて、算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、をコンピュータに実行させるための顔照合装置制御プログラム。
【請求項１３】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記対象時年齢算出ステップで算出した対象時年齢と上記基準画像データベースに記憶された基準時年齢との差に、上記対象時年齢算出ステップで算出した対象時年齢に対応する上記係数記憶部に記憶された係数を乗じて、算出する適用度算出ステップと、
上記取得ステップで取得した対象顔画像撮影時点と、上記基準画像データベースに記憶された生誕時点および基準時年齢とに基づいて、上記照合に利用する上記基準顔画像を選択するものであって、上記適用度算出ステップで算出した適用度が所定の閾値を超える基準顔画像を選択する選択ステップと、をコンピュータに実行させるための顔照合装置制御プログラム。
【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、上記の各基準顔画像に対して該基準顔画像の撮影時点である基準顔画像撮影時点と、該撮影時点における登録者の年齢である基準時年齢とを記憶することが可能であり、
上記対象顔画像の撮影時点である対象顔画像撮影時点を取得する取得手段と、
上記取得手段が取得した対象顔画像撮影時点と、上記基準画像データベースに記憶された基準顔画像撮影時点とに基づいて、上記照合に利用する上記基準顔画像を選択する選択手段と、
上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部と、
上記取得手段が取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出手段と、
上記基準顔画像を上記撮影画像に含まれる対象顔画像との照合にどの程度適用できるかを示す適用度を、上記取得手段が取得した対象顔画像撮影時点と上記基準画像データベースに記憶された基準顔画像撮影時点との差に、上記対象時年齢算出手段が算出した対象時年齢に対応する上記係数記憶部に記憶された係数を乗じ、その逆数を求めることによって算出する適用度算出手段と、を備え、
上記選択手段は、上記適用度算出手段が算出した適用度が所定の閾値を超える基準顔画像を選択することを特徴とする顔照合装置。
【請求項２】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、上記の各基準顔画像に対して該基準顔画像の撮影時点である基準顔画像撮影時点と、各登録者の生誕時点とを記憶することが可能であり、
上記対象顔画像の撮影時点である対象顔画像撮影時点を取得する取得手段と、
上記取得手段が取得した対象顔画像撮影時点と、上記基準画像データベースに記憶された基準顔画像撮影時点とに基づいて、上記照合に利用する上記基準顔画像を選択する選択手段と、
上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部と、
上記取得手段が取得した対象顔画像撮影時点と、上記基準画像データベースに記憶された生誕時点とに基づいて、上記対象顔画像の撮影時点における上記登録者の年齢である対象時年齢を算出する対象時年齢算出手段と、
上記基準顔画像を上記撮影画像に含まれる対象顔画像との照合にどの程度適用できるかを示す適用度を、上記取得手段が取得した対象顔画像撮影時点と上記基準画像データベースに記憶された基準顔画像撮影時点との差に、上記対象時年齢算出手段が算出した対象時年齢に対応する上記係数記憶部に記憶された係数を乗じ、その逆数を求めることによって算出する適用度算出手段と、を備え、
上記選択手段は、上記適用度算出手段が算出した適用度が所定の閾値を超える基準顔画像を選択することを特徴とする顔照合装置。
【請求項３】
撮影画像に含まれる照合対象となる対象顔画像を、基準画像データベースに登録された基準の顔画像である基準顔画像と照合する顔照合装置であって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記対象顔画像の撮影時点である対象顔画像撮影時点を取得する取得手段と、
上記取得手段が取得した対象顔画像撮影時点と、上記基準画像データベースに記憶された生誕時点および基準時年齢とに基づいて、上記照合に利用する上記基準顔画像を選択する選択手段と、
上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部と、
上記取得手段が取得した対象顔画像撮影時点と、上記基準画像データベースに記憶された生誕時点とに基づいて、上記対象顔画像の撮影時点における上記登録者の年齢である対象時年齢を算出する対象時年齢算出手段と、
上記基準顔画像を上記撮影画像に含まれる対象顔画像との照合にどの程度適用できるかを示す適用度を、上記対象時年齢算出手段が算出した対象時年齢と上記基準画像データベースに記憶された基準時年齢との差に、上記対象時年齢算出手段が算出した対象時年齢に対応する上記係数記憶部に記憶された係数を乗じ、その逆数を求めることによって算出する適用度算出手段と、を備え、
上記選択手段は、上記適用度算出手段が算出した適用度が所定の閾値を超える基準顔画像を選択することを特徴とする顔照合装置。
【請求項４】
上記選択手段が選択した基準顔画像と上記対象顔画像との照合の結果である類似度に対し、上記基準顔画像の適用度で重み付けした加重照合結果を算出する加重照合結果算出手段を備えていることを特徴とする請求項１〜３のいずれか１項に記載の顔照合装置。
【請求項５】
上記基準画像データベースに記憶されている基準顔画像の基準時年齢から、閾値以上の適用度となる対象時年齢の範囲を算出し、算出した対象時年齢の範囲に含まれない年齢を対象時年齢とした場合に、上記閾値以上の適用度となる基準時年齢の範囲を算出し、算出した基準撮影時年齢の範囲を出力する必要年齢出力手段を備えていることを特徴とする請求項１に記載の顔照合装置。
【請求項６】
上記選択手段は、上記適用度算出手段が算出した適用度が閾値を超える基準顔画像が存在しない場合、閾値を下回る基準顔画像を選択しており、
照合結果の正否を問い合わせる問い合わせ手段と、
上記問い合わせ手段が正しいと受け付けると、当該対象顔画像を上記基準顔画像として登録する画像登録手段とを備えていることを特徴とする請求項１〜５のいずれか１項に記載の顔照合装置。
【請求項７】
請求項１〜６のいずれか１項に記載の顔照合装置を備えた電子機器であって、
上記対象顔画像に対し、上記適用度が閾値を超える基準顔画像が無い場合に、ユーザに対し報知を行う報知手段を備えていることを特徴とする電子機器。
【請求項８】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、上記の各基準顔画像に対して該基準顔画像の撮影時点である基準顔画像撮影時点と、該撮影時点における登録者の年齢である基準時年齢とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じ、その逆数を求めることによって算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、を含むことを特徴とする顔照合装置の制御方法。
【請求項９】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、上記の各基準顔画像に対して該基準顔画像の撮影時点である基準顔画像撮影時点と、各登録者の生誕時点とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じ、その逆数を求めることによって算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、を含むことを特徴とする顔照合装置の制御方法。
【請求項１０】
撮影画像に含まれる照合対象となる対象顔画像を、基準画像データベースに登録された基準の顔画像である基準顔画像と照合する顔照合装置の制御方法であって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記対象時年齢算出ステップで算出した対象時年齢と上記基準画像データベースに記憶された基準時年齢との差に、上記対象時年齢算出ステップで算出した対象時年齢に対応する上記係数記憶部に記憶された係数を乗じ、その逆数を求めることによって算出する適用度算出ステップと、
上記取得ステップで取得した対象顔画像撮影時点と、上記基準画像データベースに記憶された生誕時点および基準時年齢とに基づいて、上記照合に利用する上記基準顔画像を選択するものであって、上記適用度算出ステップで算出した適用度が所定の閾値を超える基準顔画像を選択する選択ステップと、を含むことを特徴とする顔照合装置の制御方法。
【請求項１１】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、上記の各基準顔画像に対して該基準顔画像の撮影時点である基準顔画像撮影時点と、該撮影時点における登録者の年齢である基準時年齢とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された基準顔画像撮影時点および基準時年齢とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じ、その逆数を求めることによって算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、をコンピュータに実行させるための顔照合装置制御プログラム。
【請求項１２】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、上記の各基準顔画像に対して該基準顔画像の撮影時点である基準顔画像撮影時点と、各登録者の生誕時点とを記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記取得ステップで取得した対象顔画像撮影時点と上記基準画像データベースに記憶された基準顔画像撮影時点との差に、上記対象時年齢算出ステップで算出した対象時年齢に対応する上記係数記憶部に記憶された係数を乗じ、その逆数を求めることによって算出する適用度算出ステップと、
上記取得ステップで取得した対象顔画像撮影時点と、上記基準画像データベースに記憶された基準顔画像撮影時点とに基づいて、上記照合に利用する上記基準顔画像を選択するものであって、上記適用度算出ステップで算出した適用度が所定の閾値を超える基準顔画像を選択する選択ステップと、をコンピュータに実行させるための顔照合装置制御プログラム。
【請求項１３】
撮影画像に含まれる照合対象となる対象顔画像を、基準画像データベースに登録された基準の顔画像である基準顔画像と照合する顔照合装置制御プログラムであって、
上記基準画像データベースには、各登録者に対して複数の基準顔画像を記憶することが可能であり、さらに、上記各登録者の生誕時点、および各基準顔画像の撮影時点における登録者の年齢である基準時年齢を記憶することが可能であり、
上記顔照合装置には、上記登録者の年齢と対応付けられた係数であって、該年齢が０歳のときに最大値となり、該年齢が上がっていくにつれて小さくなるとともに、該年齢が下がるほど変化率が大きい係数を記憶している係数記憶部が備えられており、
上記対象顔画像の撮影時点である対象顔画像撮影時点を取得する取得ステップと、
上記取得ステップで取得した対象顔画像撮影時点と、上記基準画像データベースに記憶された生誕時点とに基づいて、上記対象顔画像の撮影時点における上記登録者の年齢である対象時年齢を算出する対象時年齢算出ステップと、
上記基準顔画像を上記撮影画像に含まれる対象顔画像との照合にどの程度適用できるかを示す適用度を、上記対象時年齢算出ステップで算出した対象時年齢と上記基準画像データベースに記憶された基準時年齢との差に、上記対象時年齢算出ステップで算出した対象時年齢に対応する上記係数記憶部に記憶された係数を乗じ、その逆数を求めることによって算出する適用度算出ステップと、
上記取得ステップで取得した対象顔画像撮影時点と、上記基準画像データベースに記憶された生誕時点および基準時年齢とに基づいて、上記照合に利用する上記基準顔画像を選択するものであって、上記適用度算出ステップで算出した適用度が所定の閾値を超える基準顔画像を選択する選択ステップと、をコンピュータに実行させるための顔照合装置制御プログラム。